(57)【特許請求の範囲】
【請求項１】
マルチキャリア信号に出現するピーク電力を抑圧するピーク抑圧手段を具備するマルチキャリア送信装置であって、
前記ピーク抑圧手段は、
前記マルチキャリア信号を２つに分配し、
一方のマルチキャリア信号に関する一定間隔ごとの電力値を検出する電力検出手段と、
検出した前記電力値が所定レベル以上であるときに、そのときの前記一方のマルチキャリア信号から前記所定レベル以上の信号成分を抽出する信号成分抽出手段と、
抽出した前記信号成分のうち所定の帯域のみ通過させる帯域制限フィルタと、
他方のマルチキャリア信号から、帯域制限後の前記信号成分を減算する加算器と、
前記帯域制限フィルタの後段に配置され、前記帯域制限フィルタにおける電力損失を補填するためのウェイトと、前記一方のマルチキャリア信号とを乗算する乗算器と、を具備するマルチキャリア送信装置。
【請求項２】
前記帯域制限フィルタにおける帯域制限前の前記信号成分の電力値と、帯域制限後の前記信号成分の電力値との差分に応じた前記ウェイトを形成するウェイト形成手段を具備する請求項１記載のマルチキャリア送信装置。
【請求項３】
前記ウェイトの候補を順次変更し、各ウェイトの候補および帯域制限後の前記信号成分を掛け合わせた信号と、帯域制限前の前記信号成分との波形をフィッティングし、両波形の誤差が最小となる前記ウェイトの候補を特定するフィッティング手段と、
前記特定されたウェイトの候補に対応する前記ウェイトを形成するウェイト形成手段と、
を具備する請求項１記載のマルチキャリア送信装置。
【請求項４】
帯域制限前の前記信号成分の電力値と、当該帯域制限前の信号成分に対応する、帯域制限後の信号成分の電力値および前記ウェイトの乗算値とが一致する前記ウェイトを算出するウェイト算出手段と、
算出した前記ウェイトを形成するウェイト形成手段と、
を具備する請求項１記載のマルチキャリア送信装置。
【請求項５】
前記帯域制限フィルタにおける帯域制限前の前記信号成分の電力値または帯域制限後の前記信号成分の電力値に応じた前記ウェイトを形成するウェイト形成手段を具備する請求項１記載のマルチキャリア送信装置。
【発明の詳細な説明】
【技術分野】
【０００１】
本発明は、マルチキャリア送信装置に関し、特にマルチキャリア信号に現れるピークを抑圧するマルチキャリア送信装置に関する。
【背景技術】
【０００２】
マルチパス伝搬路に起因する周波数選択性フェージングの影響を軽減できる高速伝送技術として、マルチキャリア伝送が注目されている。このマルチキャリア伝送では、生成されるマルチキャリア信号に鋭い電力ピークが発生することがある。このピークの大きな信号を非線形増幅器に入力すると、非線形増幅器において非線形歪みを受けて増幅され、マルチキャリア伝送における伝送特性の劣化や帯域外輻射の原因となる。これを回避するために、非線形増幅器に大きなバックオフを持たせることも考えられるが、こうすると増幅器の効率が悪化してしまう。
【０００３】
そこで、マルチキャリア信号のピークを抑圧する、種々の技術（例えば、特許文献１、特許文献２）が提案されている。
【０００４】
例えば、特許文献２においては、次の手順でピークの抑圧を試みている。すなわち、第１に、しきい値を用いて、送信データのピークを検出し、しきい値との差分データ、すなわち、信号においてしきい値を越えるピーク成分を生成する。第２に、生成したピーク成分をフィルタ処理で帯域制限する。第３に、元の送信データから、帯域制限後のピーク成分を減算する。こうして、ピーク部分を減らした送信データを形成している。
【特許文献１】特開２００２−１８５４３２号公報
【特許文献２】特開２００４−１０４１６２号公報
【発明の開示】
【発明が解決しようとする課題】
【０００５】
しかしながら、従来のマルチキャリア送信装置においては、上記第２段階での帯域制限における電力損失について何ら配慮がなされていない。すなわち、第１段階で生成したピーク成分は広い帯域幅を持つため、第２段階で帯域制限すると電力損失が発生し、帯域制限後のピーク成分を元の送信データから減算しても、ピーク成分が残ってしまう。この処理を繰り返すことにより、ピーク成分を除去することは可能であるが、繰り返し回数が多い問題、すなわちピーク抑圧効率が悪い問題がある。繰り返し処理回数の増加は回路規模の増加につながるため、マルチキャリア送信装置自体が大きくなってしまう問題がある。
【０００６】
本発明は、かかる点に鑑みてなされたものであり、マルチキャリア信号におけるピーク抑圧効率を向上するマルチキャリア送信装置を提供することを目的とする。
【課題を解決するための手段】
【０００７】
本発明のマルチキャリア送信装置は、マルチキャリア信号に出現するピーク電力を抑圧するピーク抑圧手段を具備するマルチキャリア送信装置であって、前記ピーク抑圧手段は、前記マルチキャリア信号を２つに分配し、一方のマルチキャリア信号に関する一定間隔ごとの電力値を検出する電力検出手段と、検出した前記電力値が所定レベル以上であるときに、そのときの前記一方のマルチキャリア信号から前記所定レベル以上の信号成分を抽出する信号成分抽出手段と、抽出した前記信号成分のうち所定の帯域のみ通過させる帯域制限フィルタと、他方のマルチキャリア信号から、帯域制限後の前記信号成分を減算する加算器と、前記帯域制限フィルタの後段に配置され、前記帯域制限フィルタにおける電力損失を補填するためのウェイトと、前記一方のマルチキャリア信号とを乗算する乗算器と
、を具備する構成を採る。
【発明の効果】
【０００８】
本発明によれば、マルチキャリア信号におけるピーク抑圧効率を向上するマルチキャリア送信装置を提供することができる。
【発明を実施するための最良の形態】
【０００９】
以下、本発明の実施の形態について図面を参照して詳細に説明する。なお、実施の形態において、同一の構成要素には同一の符号を付し、その説明は重複するので省略する。
【００１０】
（実施の形態１）
図１に示すように実施の形態１のマルチキャリア送信装置１００は、Ｓ／Ｐ変換部１１０と、ＩＦＦＴ部１２０と、Ｐ／Ｓ変換部１３０と、ピーク抑圧部１４０と、送信部１６０とを有する。そして、ピーク抑圧部１４０は、ピーク信号検出部１４２と、ピーク抽出部１４４と、帯域制限フィルタ部１４６と、ウェイト生成部１４８と、乗算器１５０と、遅延部１５２と、加算器１５４とを有する。
【００１１】
Ｓ／Ｐ変換部１１０は、変調、符号化を施された送信データが入力される。このＳ／Ｐ変換部１１０は、入力信号を直並列変換し、ＩＦＦＴ部１２０に出力する。
【００１２】
ＩＦＦＴ部１２０は、直並列変換後の入力信号を逆フーリエ変換し、Ｐ／Ｓ変換部１３０に出力する。
【００１３】
Ｐ／Ｓ変換部１３０は、逆フーリエ変換後の入力信号を並直列変換し、マルチキャリア信号を得る。このマルチキャリア信号は、遅延部１５２およびピーク信号検出部１４２に出力される。
【００１４】
ピーク信号検出部１４２は、入力信号の瞬時電力を所定のタイミング間隔（サンプルタイミング）で検出し、各タイミングにおける検出電力値と、各タイミングのマルチキャリア信号とをピーク抽出部１４４に出力する。
【００１５】
ピーク抽出部１４４は、入力する検出電力値と、予め設定したしきい値との比較を行い、検出電力値がしきい値未満である場合には、ゼロ値を帯域制限フィルタ部１４６に出力する。また、ピーク抽出部１４４は、検出電力値がしきい値以上である場合には、そのタイミングのマルチキャリア信号からしきい値に対応する電力を減算した信号をピーク信号成分として帯域制限フィルタ部１４６に出力する。
【００１６】
帯域制限フィルタ部１４６は、入力信号を帯域制限し、帯域制限されたピーク信号成分を乗算器１５０に出力する。
【００１７】
ウェイト生成部１４８は、帯域制限フィルタ部１４６における帯域制限によるピーク信号成分の電力損を補償するためのウェイトを、乗算器１５０に出力する。ここで、本実施の形態においては、予め設定された固定値のウェイトを用いる。
【００１８】
乗算器１５０は、帯域制限フィルタ部１４６からの帯域制限されたピーク信号成分と、ウェイト生成部１４８からのウェイトとを乗算し、演算結果を加算器１５４に出力する。
【００１９】
遅延部１５２は、Ｐ／Ｓ変換部１３０からの出力信号が２つのルートに分配され、一方の信号がピーク信号検出部１４２、ピーク抽出部１４４、帯域制限フィルタ部１４６、および乗算器１５０を介して加算部１５４に入力されるまでの時間と、遅延部１５２を介して加算部１５４に入力されるまでの時間とが同期するようにマルチキャリア信号に対して遅延を施す。すなわち、マルチキャリア信号とピーク信号成分との同期をとっている。そして、遅延させたマルチキャリア信号を加算器１５４に出力する。
【００２０】
加算器１５４は、遅延部１５２を介して入力されるマルチキャリア信号から、ウェイト処理をされたピーク信号成分を減算することにより、マルチキャリア信号のピークを抑圧する。このピーク抑圧後のマルチキャリア信号は、送信部１６０にて、Ｄ／Ａ変換、周波数変換、電力制御などの所定の処理が施され、アンテナを介して送信される。
【００２１】
このように実施の形態１によれば、マルチキャリア送信装置１００に、ピーク抑圧部１４０を設け、このピーク抑圧部１４０は、マルチキャリア信号を２つに分配し、一方のマルチキャリア信号に関する一定間隔ごとの電力値を検出するピーク信号検出部１４２と、検出した前記電力値が所定レベル以上であるときに、そのときの前記一方のマルチキャリア信号から前記所定レベル以上の信号成分を抽出するピーク抽出部１４４と、抽出した前記信号成分のうち所定の帯域のみ通過させる帯域制限フィルタ部１４６と、他方のマルチキャリア信号から、帯域制限後の前記信号成分を減算する加算器１５４と、帯域制限フィルタ部１４６の後段に配設され、前記帯域制限フィルタ部１４６における電力損失を補填するためのウェイトと、前記一方のマルチキャリア信号とを乗算する乗算器１５０とを有する。
【００２２】
こうすることにより、帯域制限による電力損失を補填した（ピーク）信号成分を、元のマルチキャリア信号から減算することができるので、従来に比べて（ピーク）信号成分を除去するスピードが速くなる。その結果、（ピーク）信号成分の減算を繰り返す回数が減少するので、ピーク抑圧効率を向上することができる。更に、（ピーク）信号成分の減算を繰り返す回数が減少するので、回路規模を縮小することができ、マルチキャリア送信装置の小型軽量化を実現することができる。
【００２３】
（実施の形態２）
図２に示すように実施の形態２のマルチキャリア送信装置は、ピーク抑圧部２１０を有し、このピーク抑圧部２１０は、ピーク抽出部２１２と、電力検出部２１４と、電力損算出部２１６と、ウェイト生成部２１８とを有する。
【００２４】
ピーク抽出部２１２は、入力する検出電力値と、予め設定したしきい値との比較を行い、検出電力値がしきい値未満である場合には、ゼロ値を帯域制限フィルタ部１４６に出力するとともに、その検出電力値を電力損算出部２１６に出力する。また、ピーク抽出部２１２は、検出電力値がしきい値以上である場合には、その検出電力値を電力損算出部２１
６に出力するとともに、そのタイミングのマルチキャリア信号からしきい値に対応する電力を減算した信号をピーク信号成分として帯域制限フィルタ部１４６に出力する。
【００２５】
電力検出部２１４は、帯域制限フィルタ部１４６からの出力である、帯域制限後のピーク信号成分の電力値を検出し、検出した電力値を電力損算出部２１６に出力する。
【００２６】
電力損算出部２１６は、ピーク抽出部２１２からの検出電力値、すなわちピーク信号検出部１４２にて所定タイミング（サンプルタイミング）で検出された検出電力値であって予め設定されている上記しきい値以上である検出電力値を入力し、また、電力検出部２１４からの同タイミングの検出電力値を入力する。そして、電力損算出部２１６は、入力する両検出電力値を用いて、帯域制限フィルタへ入力するピーク信号成分の検出電力値と、出力するピーク信号成分の検出電力値との差の所定期間（例えば、１ＯＦＤＭシンボル）の積分値、すなわち、前記所定期間の帯域制限フィルタ部１４６における電力損を算出する。この電力損の値（電力損値）は、ウェイト生成部２１８に出力される。
【００２７】
ウェイト生成部２１８は、入力される電力損値に基づいて、帯域制限フィルタ部１４６における帯域制限によるピーク信号成分の電力損を補償するためのウェイトを算出し、乗算器１５０に出力する。すなわち、ウェイト生成部２１８において算出されるウェイトは、上記所定期間（例えば、１ＯＦＤＭシンボル）ごとに更新されることとなる。
【００２８】
このように実施の形態２によれば、マルチキャリア送信装置に、ピーク抑圧部２１０を設け、このピーク抑圧部２１０は、マルチキャリア信号を２つに分配し、一方のマルチキャリア信号に関する一定間隔ごとの電力値を検出するピーク信号検出部１４２と、検出した前記電力値が所定レベル以上であるときに、そのときの前記一方のマルチキャリア信号から前記所定レベル以上の信号成分を抽出するピーク抽出部２１２と、抽出した前記信号成分のうち所定の帯域のみ通過させる帯域制限フィルタ部１４６と、他方のマルチキャリア信号から、帯域制限後の前記信号成分を減算する加算器１５４と、帯域制限フィルタ部１４６の後段に配設され、前記帯域制限フィルタ部１４６における電力損失を補填するためのウェイトと、前記一方のマルチキャリア信号とを乗算する乗算器１５０とを有する。更に、上記マルチキャリア送信装置に、帯域制限フィルタ部１４６における帯域制限前の前記信号成分の電力値と、帯域制限後の前記信号成分の電力値との差分に応じた前記ウェイトを形成するウェイト生成部２１８を設けた。
【００２９】
こうすることにより、実際に検出する、帯域制限前後の電力値から求めた電力損失に基づいて形成したウェイトにより補填した（ピーク）信号成分を、元のマルチキャリア信号から減算することができるので、実施の形態１と比べて更に（ピーク）信号成分を除去するスピードがさらに速くなる。その結果、（ピーク）信号成分の減算を繰り返す回数が減少するので、ピーク抑圧効率を向上することができる。また、（ピーク）信号成分の減算を繰り返す回数が減少するので、回路規模を縮小することができ、マルチキャリア送信装置の小型軽量化を実現することができる。
【００３０】
（実施の形態３）
図３に示すように実施の形態３のマルチキャリア送信装置は、ピーク抑圧部３１０を有し、このピーク抑圧部３１０は、ピーク信号成分フィッティング部３１２と、ウェイト生成部３１４とを有する。
【００３１】
ピーク信号成分フィッティング部３１２は、ピーク抽出部２１２からのピーク信号成分と、ウェイト候補を順次変更し、ウェイト候補および帯域制限された後のピーク信号成分の乗算結果との誤差が最小となるようなウェイト候補を決定する。すなわち、ピーク信号成分フィッティング部３１２は、ウェイト候補を順次変更し、ウェイト候補および帯域制
限された後のピーク信号成分の乗算結果を、ピーク抽出部２１２からのピーク信号成分にフィッティングして、最適なウェイトを決定している。具体的には、ピーク信号成分フィッティング部３１２は、所定期間（例えば、１ＯＦＤＭシンボル）におけるピーク抽出部２１２からのピーク信号成分の波形（時間軸に対する振幅値の波形）と、ウェイト候補および帯域制限された後のピーク信号成分の乗算結果の波形との誤差が最小となるようなウェイトを決定する。なお、ここでは、最小二乗法により、誤差が最小となるウェイト候補を最適なウェイトとして決定する。
【００３２】
ウェイト生成部３１４は、ピーク信号フィッティング部３１２にて決定されたウェイトに応じて、ウェイトを生成し、乗算器１５０に出力する。
【００３３】
なお、上記説明においては、ピーク信号成分フィッティング部３１２がピーク信号成分における全サンプル点（所定期間（例えば、１ＯＦＤＭシンボル）内の全サンプルタイミング）についてのフィッティングを行うことを前提として説明を行ったが、これに限定されるものではなく、或るサンプル点、例えば帯域制限前のピーク信号成分における検出電力値が最大のサンプル点に関して、帯域制限前および帯域制限後のピーク信号成分が一致するように最適ウェイトを決定してもよい。
【００３４】
このように実施の形態３によれば、マルチキャリア送信装置に、ピーク抑圧部３１０を設け、このピーク抑圧部３１０は、マルチキャリア信号を２つに分配し、一方のマルチキャリア信号に関する一定間隔ごとの電力値を検出するピーク信号検出部１４２と、検出した前記電力値が所定レベル以上であるときに、そのときの前記一方のマルチキャリア信号から前記所定レベル以上の信号成分を抽出するピーク抽出部２１２と、抽出した前記信号成分のうち所定の帯域のみ通過させる帯域制限フィルタ部１４６と、他方のマルチキャリア信号から、帯域制限後の前記信号成分を減算する加算器１５４と、帯域制限フィルタ部１４６の後段に配設され、前記帯域制限フィルタ部１４６における電力損失を補填するためのウェイトと、前記一方のマルチキャリア信号とを乗算する乗算器１５０とを有する。
【００３５】
そして、さらにそのマルチキャリア送信装置に、前記ウェイトの候補を順次変更し、各ウェイトの候補および帯域制限後の前記信号成分を掛け合わせた信号と、帯域制限前の前記信号成分との波形をフィッティングし、両波形の誤差が最小となる前記ウェイトの候補を特定するピーク信号成分フィッティング部３１２と、前記特定されたウェイトの候補に対応する前記ウェイトを形成するウェイト生成部３１４とを設けた。
【００３６】
こうすることにより、帯域制限前後の波形の誤差が最小となるような最適のウェイトにより補填した（ピーク）信号成分を、元のマルチキャリア信号から減算することができるので、実施の形態１と比べて（ピーク）信号成分を除去するスピードがさらに速くなる。その結果、（ピーク）信号成分の減算を繰り返す回数が減少するので、ピーク抑圧効率を向上することができる。また、（ピーク）信号成分の減算を繰り返す回数が減少するので、回路規模を縮小することができ、マルチキャリア送信装置の小型軽量化を実現することができる。
【００３７】
また、上記マルチキャリア送信装置に、帯域制限前の前記信号成分の電力値と、当該帯域制限前の信号成分に対応する、帯域制限後の信号成分の電力値および前記ウェイトの乗算値とが一致する前記ウェイトを算出するウェイト算出手段としてのピーク信号成分フィッティング部３１２と、算出した前記ウェイトを形成するウェイト生成部３１４とを設けてもよい。
【００３８】
こうすることにより、所定タイミングのサンプル点に関してのみのフィッティングを行えばよいので、演算処理量を軽減することができる。
【００３９】
（実施の形態４）
図４に示すように実施の形態４のマルチキャリア送信装置は、ピーク抑圧部４１０を有し、このピーク抑圧部４１０は、ウェイト生成部４１２を有する。
【００４０】
ウェイト生成部４１２は、各サンプル点における検出電力値がしきい値以上である場合にピーク抽出部２１２から出力される、その検出電力値を入力し、この検出電力値に応じたウェイトを生成する。具体的には、ウェイト生成部４１２は、例えば、入力する検出電力値に比例したウェイトを生成する。こうすることにより、ピークが発生しているタイミングにおいては、ウェイトはサンプルタイミング（１ＯＦＤＭより短いタイミング）ごとに更新されることとなる。
【００４１】
なお、ここでは検出電力値に応じたウェイトを生成したが、ピーク信号検出部１４２において電力の代わりに振幅を検出するようにすれば、ウェイト生成部４１２は、各サンプル点における検出振幅値がしきい値以上である場合にピーク抽出部２１２から出力される、その検出振幅値を入力し、この検出振幅値に応じたウェイトを生成してもよい。
【００４２】
またなお、ウェイト生成部４１２は、ピーク抽出部２１２からの出力の代わりに、電力検出部２１４にて検出される検出電力値に応じて、ウェイトを生成してもよい。また、この場合も同様に、電力検出部２１４において電力の代わりに振幅を検出するようにすれば、ウェイト生成部４１２は、この検出振幅値に応じたウェイトを生成してもよい。
【００４３】
このように実施の形態４によれば、マルチキャリア送信装置に、ピーク抑圧部４１０を設け、このピーク抑圧部４１０は、マルチキャリア信号を２つに分配し、一方のマルチキャリア信号に関する一定間隔ごとの電力値を検出するピーク信号検出部１４２と、検出した前記電力値が所定レベル以上であるときに、そのときの前記一方のマルチキャリア信号から前記所定レベル以上の信号成分を抽出するピーク抽出部２１２と、抽出した前記信号成分のうち所定の帯域のみ通過させる帯域制限フィルタ部１４６と、他方のマルチキャリア信号から、帯域制限後の前記信号成分を減算する加算器１５４と、帯域制限フィルタ部１４６の後段に配設され、前記帯域制限フィルタ部１４６における電力損失を補填するためのウェイトと、前記一方のマルチキャリア信号とを乗算する乗算器１５０とを有する。
【００４４】
そして、さらにこのマルチキャリア送信装置に、前記帯域制限フィルタ部１４６における帯域制限前の前記信号成分の電力値または帯域制限後の前記信号成分の電力値に応じた前記ウェイトを形成するウェイト生成部４１２を設けた。
【００４５】
こうすることにより、帯域制限の前または後に、検出する電力値そのものに応じてウェイトを形成するので、より適応的なウェイトの変更（すなわち、上記説明では、サンプル点ごとのウェイトの変更）が可能となる。このウェイトにより補填した（ピーク）信号成分を、元のマルチキャリア信号から減算することができるので、（ピーク）信号成分を除去するスピードがさらに速くなる。その結果、ピーク抑圧効果が向上するので、ピーク信号を減算する回数を減少することができる。
【００４６】
（他の実施の形態）
実施の形態１乃至実施の形態４においては、ウェイトの乗算処理を帯域制限後に行っている場合について説明を行った。しかしながら、ウェイトの乗算処理を帯域制限前に行ってもよい。
【００４７】
（１）実施の形態１について適用した場合について説明すると、この場合のマルチキャリア送信装置は、図５に示すようにピーク抑圧部５１０を有し、このピーク抑圧部５１０は
、乗算器５１２と、帯域制限フィルタ部５１４とを有する。
【００４８】
乗算器５１２は、帯域制限フィルタ部５１４の前段に配設され、ピーク出力部１４４からの出力信号に対して、ウェイト生成部１４８にて生成されたウェイトを乗算し、帯域制限フィルタ部５１４に出力する。このウェイトは、実施の形態１と同様に、帯域制限フィルタ部５１４における帯域制限によるピーク信号成分の電力損を補償するためのウェイトである。
【００４９】
このように本実施の形態によれば、マルチキャリア送信装置に、ピーク抑圧部５１０を設け、このピーク抑圧部５１０は、マルチキャリア信号を２つに分配し、一方のマルチキャリア信号に関する一定間隔ごとの電力値を検出するピーク信号検出部１４２と、検出した前記電力値が所定レベル以上であるときに、そのときの前記一方のマルチキャリア信号から前記所定レベル以上の信号成分を抽出するピーク抽出部１４４と、抽出した前記信号成分のうち所定の帯域のみ通過させる帯域制限フィルタ部５１４と、他方のマルチキャリア信号から、帯域制限後の前記信号成分を減算する加算器１５４と、帯域制限フィルタ部５１４の前段に配設され、前記帯域制限フィルタ部５１４における電力損失を補填するためのウェイトと、前記一方のマルチキャリア信号とを乗算する乗算器５１２とを有する。
【００５０】
（２）また、実施の形態４について適用した場合について説明すると、この場合のマルチキャリア送信装置は、図６に示すようにピーク抑圧部６１０を有し、このピーク抑圧部６１０は、ウェイト生成部６１２と、乗算器６１４と、帯域制限フィルタ部６１６とを有する。
【００５１】
ウェイト生成部６１２は、各サンプル点における検出電力値がしきい値以上である場合にピーク抽出部２１２から出力される、その検出電力値を入力し、この検出電力値に応じたウェイトを生成する。具体的には、ウェイト生成部６１２は、例えば、入力する検出電力値に比例したウェイトを生成する。
【００５２】
乗算器６１４は、帯域制限フィルタ部６１６の前段に配設され、ピーク抽出部２１２からの出力信号に対して、ウェイト生成部６１２にて生成されたウェイトを乗算し、帯域制限フィルタ部６１６に出力する。このウェイトは、実施の形態４と同様に、帯域制限フィルタ部６１６における帯域制限によるピーク信号成分の電力損を補償するためのウェイトである。
【００５３】
このように本実施の形態によれば、マルチキャリア送信装置に、ピーク抑圧部６１０を設け、このピーク抑圧部６１０は、マルチキャリア信号を２つに分配し、一方のマルチキャリア信号に関する一定間隔ごとの電力値を検出するピーク信号検出部１４２と、検出した前記電力値が所定レベル以上であるときに、そのときの前記一方のマルチキャリア信号から前記所定レベル以上の信号成分を抽出するピーク抽出部２１２と、抽出した前記信号成分のうち所定の帯域のみ通過させる帯域制限フィルタ部６１６と、他方のマルチキャリア信号から、帯域制限後の前記信号成分を減算する加算器１５４と、帯域制限フィルタ部６１６の前段に配設され、前記帯域制限フィルタ部６１６における電力損失を補填するためのウェイトと、前記一方のマルチキャリア信号とを乗算する乗算器６１４とを有する。
【００５４】
そして、さらに上記マルチキャリア送信装置に、前記帯域制限フィルタ部６１６における帯域制限前の前記信号成分の電力値に応じた前記ウェイトを形成するウェイト生成部６１２を設けた。
【産業上の利用可能性】
【００５５】
本発明のマルチキャリア送信装置は、マルチキャリア信号におけるピーク抑圧効率を向
上するものとして有用である。
【図面の簡単な説明】
【００５６】
【図１】本発明の実施の形態１に係るマルチキャリア送信装置の構成を示すブロック図
【図２】実施の形態２のマルチキャリア送信装置におけるピーク抑圧部の構成を示すブロック図
【図３】実施の形態３のマルチキャリア送信装置におけるピーク抑圧部の構成を示すブロック図
【図４】実施の形態４のマルチキャリア送信装置におけるピーク抑圧部の構成を示すブロック図
【図５】他の実施の形態のマルチキャリア送信装置におけるピーク抑圧部の構成を示すブロック図
【図６】他の実施の形態のマルチキャリア送信装置におけるピーク抑圧部の構成を示すブロック図
【図１】
0004837669.tif 000002
【図２】
0004837669.tif 000003
【図３】
0004837669.tif 000004
【図４】
0004837669.tif 000005
【図５】
0004837669.tif 000006
【図６】
0004837669.tif 000007